(57)【要約】【課題】電気機器の内部構成部材から外部に導出するとブッシングを、電気機器器の温度変化が生じても無理な機械力が働くことがない構成とし、外形寸法が小さくなるブッシングを構成する。【解決手段】絶縁部材により筒状に形成し、長さ方向中間位置の外周部に電気機器の容器に取り付ける取付フランジを形成した碍管と、この碍管の内径部に挿通し、一端側に電気機器の内部構成部材に接続される端子部、他端側に外部電気回路に接続される接続導体を接続する端子部を備えた中心導体とで構成し、中心導体の外周面と、碍管内周面との間をガス封止し、かつ、中心導体が軸方向に摺動可能に構成した。【選択図】        図１
2004311235.tif 000002
【特許請求の範囲】
【請求項１】
絶縁材料により筒状に形成され、長さ方向中間位置の外周部に電気機器の容器に取り付ける取付フランジが形成された碍管と、該碍管の内径部に挿通され、一端に上記電気機器の内部構成部材に接続される端子部を備え、他端に外部電気回路に接続する接続導体を接続する端子部を備えた中心導体とからなり、上記中心導体の外周面と、上記碍管内周面との間がガス封止され、かつ、上記中心導体が軸方向に摺動可能に構成されたガス封止部材が配置されていることを特徴とするブッシング。
【請求項２】
上記中心導体には、上記碍管の中心位置に中心導体を支持する絶縁筒が配置され、該絶縁筒の端部に上記ガス封止部材が配置されていることを特徴とする請求項１記載のブッシング。
【請求項３】
上記中心導体はパイプ材で構成され、内径部にはガス閉止部材が配置され、電気機器の内部側は板状に成型した端子部が形成され、機器の外部側となる他端側は外部の電気回路に接続する接続導体が接続可能に形成されていることを特徴とする請求項１または請求項２記載のブッシング。
【請求項４】
容器内に内部構成部材が収容され、上記容器に外部接続されるブッシングが取り付けられる電気機器において、上記請求項１〜請求項３のいずれかに記載のブッシングが使用されていることを特徴とする電気機器。
【発明の詳細な説明】
【０００１】
【発明の属する技術分野】
この発明は、容器内に構成部材が収容された電気機器に使用されるブッシングおよびそのブッシングを使用した電気機器に関するものである。
【０００２】
【従来の技術】
容器内に構成部材が収容された電気機器の内、例えば配電系統の電気回路を開閉する柱上開閉器は、特許文献１の図４に外形図が示されている。その柱上開閉器に使用されたブッシングの構成は図１に示されている。図４に示された柱上開閉器は、容器内に内部構成部材の開閉部が収容され、その容器の両側面にそれぞれ３相の支持碍管が支持杆により取り付けられ、中心部には中心導体が挿通され、支持碍管と一体に組み立てられたブッシングが取り付けられている。容器内の開閉部は、真空スイッチであり、ブッシングの中心導体に直接接続され、容器内には絶縁媒体が充填された構成となっている。
【０００３】
図４のように構成された柱上開閉器では、容器内の開閉部と、ブッシングの器内側は開閉部と直結され、容器側面に支持碍管が固定された構成であり、各部が一体で密封構造に構成されている。
【０００４】
【特許文献１】
特開平９−７４７２号公報
【０００５】
【発明が解決しようとする課題】
従来の電気機器である上記特許文献１の図４の開閉器は、容器内の開閉部と容器側面、支持碍管および中心導体とが直結され、機械的には一体に構成されている。この構成において、使用環境における日射、周囲温度の変化、通電による温度変化等により、容器の膨張・収縮による寸法変化、あるいは容器に充填された絶縁媒体の内圧変化により容器壁の膨らみ等による寸法変化があるが、容器、内部構成部材、ブッシングが一体に構成されているために、各部の寸法変化、内圧の変化による寸法変化が吸収されず、ブッシングには大きな機械力が働くので、ブッシングは強固に構成し、容器の側面は柔軟性がある構造に構成しておくことが必要である。そのためにブッシングの支持碍管は直径は大きく、中心導体は碍管と一体で強固に組み立てられており、ブッシングとして外形寸法が大きくなり、コストが高くなる問題点があった。
支持碍管と中心導体とを一体に構成したブッシングを開閉器以外の他の電気機器、即ち、変圧器、変流器などの電気機器に使用するには、内部構成部材とブッシングとの間を可とう導体を使用しないで直結構造に構成すると上記と同様の問題点がある。
【０００６】
この発明は、上記問題点を解消するためになされたものであり、電気機器の内部構成部材から外部に導出するブッシングを、電気機器の温度変化が生じても無理な機械力が働くことがなく、外形寸法が小さくなるブッシングおよびそのブッシングを使用した電気機器を提供することを目的とする。
【０００７】
【課題を解決するための手段】
この発明に係るブッシングは、絶縁部材により筒状に形成され、長さ方向中間位置の外周部に電気機器の容器に取り付ける取付フランジが形成された碍管と、この碍管の内径部に挿通し、一端に電気機器の内部構成部材に接続される端子部、他端に外部電気回路に接続される接続導体を接続する端子部を備えた中心導体とからなり、中心導体の外周面と、碍管内周面との間をガス封止し、かつ、中心導体が軸方向に摺動可能に構成されるガス封止部材を配置した構成である。
【０００８】
【発明の実施の形態】
実施の形態１．
図１はこの発明による電気機器用ブッシング構成図である。このブッシング１０は、磁器あるいは注形絶縁材料で筒状に形成し、長さ方向の中間位置の外周部に電気機器の容器に取り付ける取付フランジ１１ａが形成された碍管１１と、碍管１１の内径部に挿通し、一端側には電気機器の内部構成部材に接続する端子部１２ｂを形成し、他端側には外部の電気回路に接続する外部接続電線１６を接続する圧着部１２ａを形成した中心導体１２と、中心導体１２を碍管１１の内径部の中心位置に保持するために被せられた絶縁筒１３と、碍管１１を電気機器の容器３１に取り付ける碍管装着部材１４と、中心導体１２と碍管１１の内面との間をガス封止し、中心導体が軸方向に摺動可能に構成したガス封止部材１５と、中心導体１２の他端側に圧着接続された外部接続電線１６と、電気機器容器３１に碍管１１を取り付けるための開口部３１ａに装填するパッキン材１７とで構成し、ガス封止部材１５は、碍管１１の外部側寄りの中心導体１２の外周にガス封止部材１５のパッキンストッパ１５ａをはめ込み、このパッキンストッパ１５ａと絶縁筒１３の端部との間にパッキン１５ｂを装填した構成となっている。
碍管１１は、電気機器容器３１のブッシング取付部３１ａにパッキン材１７を装填し、碍管１１の取付フランジ１１ａを碍管装着部材１４により固着する構成である。
【０００９】
図１の構成のブッシング１０を、例えば容器内部に内部構成部材の開閉部を収容した開閉器に使用した場合の構成図を図２に示す。図２の構成は、容器３１の内部に開閉部３２が収容され、その接続部に図１の構成のブッシング１０の中心導体１２にパッキンストッパ１５ａを嵌め込んでパッキン１５ｂを装填し、絶縁筒１３を中心導体１２の外周に嵌め込んてパッキン１５ｂの締め付け量を適正値に調整して中心導体１２の部分を組み立て、この中心導体１２の部分を開閉器の容器３１内部の開閉部３２と接続し、碍管１１を中心導体１２の外周部に挿入し、碍管装着部材１４により、碍管１１を容器に固着する手順で組み立てられる。
なお、ガス封止部材１５は、図１に示した構成に限るものではなく、Ｏリングなどを用いた構成であってもよい。
【００１０】
以上のように碍管１１と中心導体１２の部分がガス封止構造で摺動自在に構成しブッシング１０は、電気機器に取付られた状態では、中心導体１２と外周面と碍管１１の内周面との間はガス封止構造で、中心導体１２は軸方向に摺動可能に構成されているので、中心導体１２と容器３１内部の開閉部３２との間は、可とう導体を使用しないで接続できる。
電気機器の使用環境における日射、周囲温度の変化、通電による温度変化等により、容器の膨張・収縮による寸法変化、あるいは容器に充填された絶縁媒体の内圧変化により容器壁の膨らみ等による寸法変化があると、碍管１１には機械力が加わることがなく、開閉器の容器３１内は可とう導体を使用しないで接続できるために接続部の寸法を小さくすることができる。
【００１１】
また、図２は開閉器の場合について説明したが、変流器や計器用変圧器など容器内に収容する部材とブッシングとが直結できる構成の電気機器に上記図１の構成のブッシングを使用しても、上記図２の開閉器と同様に、容器内部の接続部の寸法が短縮できる効果を奏する。
【００１２】
実施の形態２．
実施の形態１では、中心導体１２を中実の棒状材料を使用した場合について説明したが。パイプ材を使用してもよい。この場合のブッシングの構成図を図３に示す。パイプ材の中心導体２２は、その内径部から機器内部に充填された絶縁媒体が器外に漏気する問題があるので、中心導体の内径部にガス封止部材２４を配置して中心導体２２の内径部をガス封止している。パイプ材を使用した中心導体２２は、器内側は板状に成型して端子部２２ｂを形成し、器外側の外部に接続する導体の圧着部２２ａは加工することなく圧着することができる構成となる。その他の部分は図１と同一の構造である。この構成でも図２に示す開閉器には問題なく使用できる。
【００１３】
このように中心導体をパイプ材で構成すると中心導体が軽量になり、低コスト製作できる。
【００１４】
【発明の効果】
この発明に係るブッシングは、絶縁材料により筒状に形成して電気機器の容器に取り付ける取付フランジを形成した碍管と、一端に電気機器の内部構成部材に接続される端子部、他端に外部電気回路に接続される接続導体を接続する端子部を備えた中心導体と、中心導体の外周面と、碍管内周面との間をガス封止し、かつ、中心導体が軸方向に摺動可能に構成されるガス封止部材とで構成したものであり、このように構成したことにより、使用される電気機器の温度変化があっても無理な機械力が働くことがなく、外形寸法を小さくすることができる。
またこのブッシングを電気機器に使用すると、電気機器の構成がシンプルになり小型軽量化が容易に実現できる。
【図面の簡単な説明】
【図１】この発明によるブッシングの構成図である。
【図２】図１のブッシングを使用した電気機器の構成図である。
【図３】この発明によるブッシングの中心導体をパイプ材とした場合の構成図である。
【符号の説明】
１０  ブッシング、１１  碍管、１２  中心導体、１３  絶縁筒、
１４  碍管装着部材、１５  ガス封止部材、１６  外部接続電線、
１７  パッキン材、２２  中心導体、２４  ガス封止部材、３１  容器、
３２  内部構成部材。
【図１】
2004311235.tif 000003
【図２】
2004311235.tif 000004
【図３】
2004311235.tif 000005